【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
第１のネットワークと通信可能な複数の携帯端末装置と、第２のネットワークと通信可能であり、前記複数の携帯端末装置にそれぞれ対応する複数の通信端末装置とを含む通信システムであって、
前記複数の携帯端末装置の各々は、
自装置の識別情報と、前記複数の携帯端末装置のうち、通信対象の携帯端末装置の識別情報とを含む通信コードを生成する生成手段と、
前記通信コードを、対応する通信端末装置に与える供与手段とを備え、
前記複数の通信端末装置の各々は、
対応する携帯端末装置から前記通信コードを取得する取得手段と、
自装置のネットワークアドレスと、取得した前記通信コードとを含む通信要求データを、前記第２のネットワークへ送信する送信手段とを備え、
前記通信システムは、
前記第２のネットワークへ送信される複数の前記通信要求データに基づいて、前記第２のネットワークを利用した主情報の通信を要求する少なくとも２つの通信端末装置を特定し、特定された前記少なくとも２つの通信端末装置間において、前記第２のネットワークを利用した前記主情報の通信を確立するための通信確立処理を行ない、
前記通信システムは、さらに、
前記第２のネットワークと通信可能な管理サーバを含み、
前記管理サーバは、
前記複数の通信端末装置の各々から前記第２のネットワークへ送信される前記通信要求データを受信する受信手段と、
受信した複数の前記通信要求データを記憶する記憶手段と、
前記記憶手段に記憶されている前記複数の通信要求データに基づいて、前記第２のネットワークを利用した前記主情報の通信を要求する少なくとも２つの通信端末装置を特定する特定手段と、
特定された前記少なくとも２つの通信端末装置間において、前記第２のネットワークを利用した前記主情報の通信を確立するための通信確立実施処理を行なう通信確立手段とを備える、通信システム。
【請求項２】
前記主情報は、画像および音声の情報である、請求項１に記載の通信システム。
【請求項３】
前記通信確立処理は、前記少なくとも２つの通信端末装置間において、前記第２のネットワークを利用した前記主情報の通信を確立するために前記少なくとも２つの通信端末装置がそれぞれ使用する複数のネットワークアドレスの各々を、対応する通信端末装置へ送信する処理である、請求項１に記載の通信システム。
【請求項４】
前記複数の携帯端末装置の各々は、さらに、
自装置が前記通信コードを生成するために使用される前記通信対象の携帯端末装置の識別情報を有してない場合、該通信対象の携帯端末装置の識別情報を、前記第１のネットワークを介して、前記通信対象の携帯端末装置から受信する受信手段を備える、請求項１に記載の通信システム。
【請求項５】
前記通信確立実施処理は、前記少なくとも２つの通信端末装置間において、前記第２のネットワークを利用した前記主情報の通信を確立するために前記少なくとも２つの通信端末装置がそれぞれ使用する複数のネットワークアドレスの各々を、対応する通信端末装置へ送信する処理である、請求項１に記載の通信システム。
【請求項６】
前記特定手段は、前記複数の通信要求データにそれぞれ含まれる複数の通信コードの各々に含まれる２つの識別情報に基づいて、前記第２のネットワークを利用した前記主情報の通信を要求する前記少なくとも２つの通信端末装置を特定する、請求項１に記載の通信システム。
【請求項７】
前記通信コードは、さらに、前記少なくとも２つの通信端末装置間の通信を確立するために必要な通信確立必要情報を含む、請求項１に記載の通信システム。
【請求項８】
前記通信コードは、さらに、前記少なくとも２つの通信端末装置間の通信が可能な期限を示す期限情報を含む、請求項１に記載の通信システム。
【請求項９】
請求項１に記載の通信システムに含まれ、通信コードを取得することにより、自装置のネットワークアドレスと、取得した前記通信コードとを含む通信要求データを、前記第２のネットワークへ送信する通信端末装置に対応づけられた携帯端末装置であって、
前記携帯端末装置は、
自装置の識別情報と、通信対象の携帯端末装置の識別情報とを含む通信コードを生成する生成手段と、
前記通信コードを、対応する通信端末装置に与える供与手段とを備える、携帯端末装置。
【請求項１０】
第１のネットワークと通信可能な第１および第２の携帯端末装置と、第２のネットワークと通信可能であり、前記第１および第２の携帯端末装置にそれぞれ対応する第１および第２の通信端末装置とを含む通信システムであって、
前記第１の携帯端末装置は、
自装置の識別情報と、前記第２の携帯端末装置の識別情報とを含む第１通信コードを生成する第１生成手段と、
前記第１通信コードを、前記第１の通信端末装置に与える第１供与手段とを備え、
前記第２の携帯端末装置は、
自装置の識別情報と、前記第１の携帯端末装置の識別情報とを含む第２通信コードを生成する第２生成手段と、
前記第２通信コードを、前記第２の通信端末装置に与える第２供与手段とを備え、
前記第１の通信端末装置は、
前記第１の携帯端末装置から前記第１通信コードを取得する第１取得手段を備え、
前記第２の通信端末装置は、
前記第２の携帯端末装置から前記第２通信コードを取得する第２取得手段と、
自装置のネットワーク名と、前記第２通信コードに含まれる前記第２の携帯端末装置の識別情報とに基づいて、他の装置が自装置と通信するための通信ネットワーク名を生成する第１ネットワーク名生成手段とを備え、
前記第１の通信端末装置は、さらに、
前記第２の通信端末装置のネットワーク名を記憶する記憶手段と、
前記第２の通信端末装置のネットワーク名と、前記第１通信コードに含まれる前記第２の携帯端末装置の識別情報とに基づいて、前記通信ネットワーク名を生成する第２ネットワーク名生成手段と、
生成した前記通信ネットワーク名に基づいて、前記第２の通信端末装置と前記第２のネットワークを利用した主情報の通信を行なう通信手段とを備える、通信システム。
【請求項１１】
前記主情報は、画像および音声の情報である、請求項１０に記載の通信システム。
【請求項１２】
前記第１の通信端末装置の前記通信手段は、自装置のネットワークアドレスを、前記第２の通信端末装置へ送信し、
前記第２の通信端末装置は、さらに、
前記自装置のネットワークアドレスを受信する受信手段と、
受信した前記自装置のネットワークアドレスに基づいて、前記第１の通信端末装置と前記第２のネットワークを利用した前記主情報の通信を行なう情報通信手段とを備える、請求項１０に記載の通信システム。
【請求項１３】
前記第２生成手段が前記第２通信コードを生成するために使用する前記第１の携帯端末装置の識別情報は、前記第２の携帯端末装置が、前記第１のネットワークを介して、前記第１の携帯端末装置から受信した情報である、請求項１０に記載の通信システム。
【請求項１４】
前記第１通信コードおよび前記第２通信コードの各々は、さらに、前記第１および第２の通信端末装置間の通信を確立するために必要な通信確立必要情報を含む、請求項１０に記載の通信システム。
【請求項１５】
前記第１通信コードおよび前記第２通信コードの各々は、前記第１および第２の通信端末装置間の通信が可能な期限を示す期限情報を含む、請求項１０に記載の通信システム。
【手続補正２】
【補正対象書類名】明細書
【補正対象項目名】００８５
【補正方法】変更
【補正の内容】
【００８５】
図４を参照して、通信端末装置６００は、表示部６３０と、音声出力部６７０と、音声入力部６７４と、撮像部６７８とを備える。表示部６３０は、文字や画像等を表示する機能を有する。表示部６３０は、ＬＣＤパネル（Liquid Crystal Display Panel）を使用した装置である。なお、表示部６３０は、上記以外の表示方式のパネルを使用した装置であってもよい。表示部６３０が表示可能な画像のサイズは、表示部５３０が表示可能な画像のサイズより大きい。また、表示部６３０の解像度は、表示部５３０の解像度より大きい。たとえば、表示部６３０の解像度は、ＰＣの画像が表示できる横１２８０（ドット）×縦７６８（ドット）の解像度である。なお、表示部６３０の解像度は、横１２８０（ドット）×縦７６８（ドット）に限定されることなく、他の解像度であってもよい。
【手続補正３】
【補正対象書類名】明細書
【補正対象項目名】０１９５
【補正方法】変更
【補正の内容】
【０１９５】
ここで、テレビ電話要求データを送信したテレビ電話要求装置は、通信端末装置Ａであるとする。この場合、通信端末装置Ａがテレビ電話を行なうために通信対象となる装置は、通信端末装置Ｂである。したがって、通信端末装置Ｂは、通信対象装置である。